(57)【要約】      （修正有）【課題】つまみがなくファッション性に富んだ髪挟みを提供する。【解決手段】髪抑え部材２２及び髪留め部材２１とをヒンジ結合し、両者間に常時閉方向に弾性力を作用させるスプリングを設けて髪挟みを構成する。さらに、髪抑え部材２２は、髪抑え主体部２２１と、髪抑え主体部から手指状に張り出す複数の髪抑え指状体２２２と、第一ヒンジ部材とから成る。また、髪留め部材２１は、髪留め主体部２１１と、髪留め主体部から手指状に張り出す複数の髪留め指状体２１２と、第二ヒンジ部材２１５とから成る。また、髪留め主体部２１１には、その第二ヒンジ部材２１５の設置部と髪留め指状体張出部の間に操作孔２１８を設けて構成する。【選択図】図１
0003156237.tif 000002
【実用新案登録請求の範囲】
【請求項１】
対を成して設けられ、ヒンジピン（２３）により開閉自在にヒンジ結合（２４、２８）される髪抑え部材（２２）及び髪留め部材（２１）と、髪抑え部材（２２）及び髪留め部材（２１）の間に常時閉方向に弾性力を作用させるスプリング（３）とから成る髪挟み（２）において、
髪抑え部材（２２）が、髪抑え主体部（２２１）と、髪抑え主体部（２２１）から手指状に張り出す複数の髪抑え指状体（２２２）と、髪抑え主体部（２２１）の内側面の髪抑え指状体（２２２）張出部寄りに設けられた第一ヒンジ部材（２４）とから成り、
髪留め部材（２１）が、髪留め主体部（２１１）と、髪留め主体部（２１１）から手指状に張り出す複数の髪留め指状体（２１２）と、髪留め主体部（２１１）の髪留め指状体（２１２）張出部とは反対側に縁辺部に設けられた第二ヒンジ部材（２８）とから成り、
髪留め主体部（２１１）は、その第二ヒンジ部材（２８）設置部と髪留め指状体（２１２）張出部の間に操作孔（２６）を有することを特徴とする上記の髪挟み（２）。
【請求項２】
髪抑え部材（２２）は、装着者の頭部の表面に適合するよう湾曲せしめられている、請求項１に記載の髪挟み（２）。
【請求項３】
髪留め指状体（２１２）が、髪留め主体部（２１１）から略直角方向に張り出しており、髪留め主体部（２１１）は、髪抑え主体部（２２1）に略直角に取り付けられル、請求項１又は２に記載の髪挟み（２）。
【請求項４】
髪挟み（２）が閉じたとき、髪留め指状体（２１２）が髪抑え指状体（２２２）の間に入るよう構成された、請求項１乃至３の何れか一に記載の髪挟み（２）。
【請求項５】
髪抑え指状体（２２２）の内表面（２２３）に、突起（２５）が複数設けられた、請求項１乃至４の何れか一に記載の髪挟み（２）。
【請求項６】
スプリング（３）がコイルスプリングであり、ヒンジピン（２３）とヒンジピン孔（２４１、２８１）内壁との間に挿入された、請求項１乃至5の何れか一に記載の髪挟み（２）。
【請求項７】
対を成して設けられ、ヒンジピン（２３）により開閉自在にヒンジ結合（２４、２８'）される髪抑え部材（２２）及び髪留め部材（２１'）と、髪抑え部材（２２）及び髪留め部材（２１'）の間に常時閉方向に弾性力を作用させるスプリング（３）とから成る髪挟み（２'）において、
髪抑え部材（２２）が、髪抑え主体部（２２１）と、髪抑え主体部（２２１）から手指状に張り出す複数の髪抑え指状体（２２２）と、髪抑え主体部（２２１）の内側面の髪抑え指状体（２２２）張出部寄りに設けられた第一ヒンジ部材（２４）とから成り、
髪留め部材（２１'）が、髪留め主体部（２１１'）と、髪留め主体部（２１１'）から手指状に張り出す複数の髪留め指状体（２１２'）と、髪留め主体部（２１１'）の内表面に設けられた第二ヒンジ部材（２８'）とから成り、
髪留め主体部（２１１'）が操作部（２１５'）として構成された、上記の髪挟み（２）。
【請求項８】
髪留め部材（２１'）の第二ヒンジ部材（２８'）が、髪留め主体部（２１１'）の髪留め指状体（２１２'）張出部寄りに設けられた、請求項７に記載の髪挟み（２'）。
光路面を構成するレンズ系とを備え、該ハウジングの被覆側端部で主走査することを特徴とするハンドスキャナ。
【考案の詳細な説明】
【技術分野】
【０００１】
本考案は、女子用の髪挟みに関する。
【背景技術】
【０００２】
従来公知の髪挟みは、第９図に示されている。
この髪挟み１は相対する第一挟体１１及び第二挟体１２を含み、各挟体１１、１２の一端はそれぞれ湾曲して折れ曲がり、突出した第一つまみ１１１及び第二つまみ１２１を形成している。
各つまみ１１１、１２１にはそれぞれ第一ヒンジ部材１１２、第二ヒンジ部材１２２があり、ヒンジピン１３がそれらのヒンジ部材１１２、１２２を貫通して２つの挟体１１、１２を開閉自在に結合している。
また、ヒンジピン１３上にはコイルスプリング１４が装着され、２つの挟体１１、１２の先端を閉じる方向に弾性力を作用させている。
【０００３】
使用するときは、第一挟体１１、第二挟体１２のつまみ１１１、１２１の外側面に力を加えることによって髪挟み１が開いて空間が形成され、そこに使用者の頭髪が挟み込まれる。
髪挟み１の使用は簡単で、多くの女性に使用されている。しかし、この髪挟み１は大きなつまみ１１１、１２１が突出して目立つため、外観が損なわれると言う問題があり、使用上の安全性にも問題があった。
【０００４】
すなわち、突出したつまみ１１１、１２１および露出したスプリング１４は、嵩張る上、著しく美観を損ねる。
また、露出したスプリング１４は錆び易く、使用者の指が傷付けられる恐れもある。
【先行技術文献】
【特許文献】
【０００５】
【特許文献１】実用新案登録第３１００５７０号公報
【考案の概要】
【考案が解決しようとする課題】
【０００６】
本考案の主な目的は、改良された髪挟みを提供することにある。
従来公知の髪挟みの突出したつまみを無くし、スプリングをヒンジ部材内に収納し、露出させないようにして、使用上の安全性が高く、美麗でファッション性に富んだ髪挟みを提供する。
【課題を解決するための手段】
【０００７】
本考案の好ましい一実施例においては、髪挟みは、髪抑え部材、髪留め部材、ヒンジピン及びスプリングから成る。
髪抑え部材は、髪抑え主体部と、髪抑え主体部から手指状に張り出す複数の髪抑え指状体と、髪抑え主体部の内側面の髪抑え指状体張出部寄りに設けられた第一ヒンジ部材とから成る。
第一ヒンジ部材にはヒンジピンを収納する孔があり、このヒンジピン孔内には、ヒンジピンとスプリングが収納されるようになっている。
【０００８】
髪留め部材は、髪留め主体部と、髪留め主体部から手指状に張り出す複数の髪留め指状体と、髪留め主体部の髪留め指状体張出部とは反対側の縁辺部に設けられた第二ヒンジ部材とから成り、髪留め主体部は、その第二ヒンジ部材設置部と髪留め指状体張出部の間に操作孔を有する。
髪留め部材の主体部と指状体は、髪抑え部材の主体部と指状体の下側に位置する。
また、髪留め部材の主体部の一外端縁には間隔を置いた一対の第二ヒンジ部材が設けられており、その一対の第二ヒンジ部材の間には、髪抑え部材の第一ヒンジ部材が挿入され、それらの軸孔内にはスプリング及びヒンジピンが挿入される。
【０００９】
望ましい一実施例において、髪抑え部材の全体は掌面が下を向いた掌状態となっており、髪留め部材の全体は掌面が上を向いた掌状態となっている。
また、スプリングには第一端と第二端があり、第一端と第二端はそれぞれ髪抑え部材と髪留め部材に、それらが常時閉じる方向に弾性力を作用させている。
【００１０】
この実施例において、髪留め部材と髪抑え部材は、何れも互いに相対する内表面と、その反対側に当る外表面を持つ。
髪留め部材の主体部には操作孔があり、使用者はこの操作孔の端縁の操作縁部と、髪抑え部材の主体部の一端部を抑えることによって、髪挟みを開くことが可能となる。
尚、上記には、ヒンジ部材として、細長い円筒状部分を有する第一ヒンジ部材と、その第一ヒンジ部材を挟むよう対を成して設けられる第二ヒンジ部材を用い、第一ヒンジ部材を髪抑え部材に設け、第二ヒンジ部材を髪挟み部材に設けるよう説明したが、これら第一及び第二のヒンジ部材の形状、構造及び配置は自由に設計変更し得るものであり、本考案はそれら全ての変更例を包摂するものである。
【考案の効果】
【００１１】
本考案に係る髪挟みは、不細工で美観を損なうつまみがないので、好適に装着でき、様々な新規のヘアスタイルを楽しむことができる。
本考案のその他の目的、利点および特徴については、以下の望ましい実施例の詳細説明と参照図によって説明される。
【図面の簡単な説明】
【００１２】
【図１】本考案に係る髪挟みの第一実施例の構成を示す斜視図である。
【図２】図１に示した髪挟みの立体分解図である。
【図３】図１に示した髪挟みの側面図である。
【図４】図３に示した髪挟みが開かれた時の状態を示す説明図である。
【図５】前各図に示した髪挟みの背面図である。
【図６】図５中の切断線６−６に沿った断面図である。
【図７】本考案の第二実施例の構成を示す斜視図である。
【図８】図７に示した第二実施例の構成を示す立体分解図である。
【図９】従来公知の髪挟みの構成を示す斜視図である。
【考案を実施するための形態】
【００１３】
本考案は多くの異なる構造の実施例を包含する。ここで紹介するものはその実施例であり、本考案の構成を制限するものではない。
以下、図面により本考案の望ましい実施例について説明する。
【実施例１】
【００１４】
図１乃至図６は、本考案の第一実施例の構成を示すものである。
この髪挟み２は上、下に相対向する髪抑え部材２２および髪挟み部材２１、ヒンジピン２３およびスプリング３から成る。
髪抑え部材２２の全体は掌面が下に向いた掌状態をしており、髪抑え主体部２２１と、それから手指状に張り出す髪抑え指状体２２２と、第一ヒンジ部材２２６とから成る。
髪抑え部材２２は内表面２２３および外表面２２４を持ち、第一ヒンジ部材２２６は髪抑え主体部２２１の内表面２２３から下に向かって突出するよう設けられている。
【００１５】
第一ヒンジ部材２２６には第一ヒンジピン孔２７７が設けられ、第二ヒンジ部材２１５には第二ヒンジピン孔２１６が設けられ、それらのピン孔内部には、ヒンジピン１３とスプリング３が収納される。
スプリング３は第一端３１および第二端３２を持ち、それらの両端３１、３２は第二ヒンジピン孔２１６から突き出ており、髪留め部材２１と、髪抑え２２とに対し、それら両者が閉じる方向に常時弾性力を作用させるようになっている。
【００１６】
また、髪抑え指状体２２２の内表面２２３上には複数の錐状歯２２５が付いており、髪を挟み込む効果を高めている。
髪留め部材２１の全体は掌面が上を向いた掌状態をしており、髪留め主体部２１１および髪留め主体部２１１から張り出す指状体２１２を有し、この髪留め部材２１は髪抑え部材２２の内表面２２３に相対する内表面２１３およびその反対側の外表面２１４を持つ。
【００１７】
髪留め主体部２１１には、その上端縁に空間２７が設けられ、髪留め指状体寄りに操作孔２１７が設けられる。
空間２７の幅は第一ヒンジ部材２２６の横幅よりも僅かに大きく、空間２７に第一ヒンジ部材２２６がはまるようになっている。また、空間２７の両側にはそれぞれ第二ヒンジ部材が設けられており、これらのヒンジピン孔２１６，２２７にはヒンジピン１３及びスプリング３が挿通される。
【００１８】
組み立てられた状態において、髪抑え部材２２の内表面２２３と髪留め部材２１の内表面２１３は相対しており、髪抑え部材２２の第一ヒンジ部材２２６を髪留め部材２１の２つの第一ヒンジ部材２１５の間の空間２７に嵌め込むことにより、これらのヒンジピン孔２２７，２１６がぴったり合うようになっている。
【００１９】
更に、ヒンジピン２３は、ヒンジピン孔２２７、２１６、およびそれらの内部の挿入されるコイル状のスプリング３を貫通し、髪抑え部材２２と髪留め部材２１を開閉自在にヒンジ結合しており、スプリング３の第一端３１と第二端３２がそれぞれ髪留め部材２１の外表面２１４と髪抑え部材２２の内表面２２３に、髪抑え部材２２と髪留め部材２１を閉じる方向に常時弾性力を及ぼしていることから、常時はその弾性力によって、髪抑え部材２２、髪留め部材２１の指状体２２２，２１２が指を組むように交互に組み合わされた状態で、閉じられているが、図４に示すように、髪留め部材２１の操作孔２６に指先を掛け、髪留め部材２１を引き起こすことにより、髪挟み２を開くことできるようになっている。
【００２０】
従って、髪抑え部材２２、髪留め部材２１の指状体２２２、２１２を開いた状態で髪を挟み込み、手指を離して指状体２２２、２１２を閉じれば、両者の間に髪を挟み留めることができる。
【００２１】
本考案に基づいて構成された髪挟み２を使用して髪を挟むときは、例えば図４に示すように、使用者は２本の指、すなわち親指４１および人差し指４２を使い、親指で主体部２２１を抑え、人差し指を髪留め部材２１の操作孔２１７に差し入れてその縁辺の操作部２１８を内に向かって押えることにより、髪挟み２を開き、髪を挟むことができる。
【００２２】
すなわち、髪抑え部材２２の主体部２２１および髪留め部材２１の操作孔２１７の操作部２１８に力を加え内に向かって押えつけることで、髪挟み２の２組の指状体２１２、２２２が開いて髪を挟み込めるようになるものである。
本考案に基づいて構成された髪挟み２は、髪を挟むことが簡単にできるほか、非常に美しい外観、速やかな組み立てが可能、使用上の安全性の向上という利点がある。
【００２３】
同時に髪挟み本体を小さくし、使い易さを向上させている。更に、本考案品の髪挟み２は、髪抑え部材２２の主体部２２１および髪留め部材２１の操作孔２１７が、図９に示す従来の髪挟み１の２つの突出した第一つまみ１１１及び第二つまみ１２１の代替の役目を果たしており、スプリング３はヒンジ部材２１５、２２６内に収納されているため見た目が美しい上、スプリングが露出したり脱落したりせず、使用上の安全性が高められている。
【００２４】
図７および図８に示す髪挟み２'は、本考案の第二実施例の構成を示すものである。
この実施例の髪挟み２'は、図１の髪挟み２の髪留め部材２１を改造した髪留め部材２１'を用いたものである。
それは、図１の髪挟み２の髪留め部材２１上の操作孔２６を廃し、その第二ヒンジ部材２１５'を髪留め主体部２１１'の内側面に配置したものである。
【００２５】
髪留め部材２１の一対の第二ヒンジ部材２１５'は髪留め主体部２１１の内端縁近くに設けられており、一対の第二ヒンジ部材２１５'の間隔は第一ヒンジ部材２２６の横の長さよりも僅かに大きくなっており、２つの第二ヒンジ部材２１５'が第一ヒンジ部材２２６の両側に接触するようになっている。
これによって、使用者は指で力を加える時の力点となる髪抑え主体部２２１と、２本の指状体２１２'の間にある押さえ部２１８'を利用して開閉操作を行なうことができる。
この髪挟み２'にも、図９に示した従来の髪挟み１のつまみ１１１、１２１は無い。
【産業上の利用可能性】
【００２６】
本考案は叙上の如く構成されるので、本考案によるときは、不細工なつまみがないので、装着時の見栄えがよく、ファッション性に富んだ髪挟みを提供することができる。
【符号の説明】
【００２７】
１                公知の髪挟み
１１              第一挟体
１１１            第一つまみ
１１２            第一ヒンジ部材
１２              第二挟体
１２１            第二つまみ
１２２            第二ヒンジ部材
１３              ヒンジピン
１４              スプリング
２，２'           本考案に係る髪挟み
２１、２１'       髪留め部材
２１１、２１１'   髪留め主体部
２１２、２１２'   髪留め指状体 
２１３、２１３'   内表面
２１４、２１４'   外表面
２１５、２１５'   第二ヒンジ部材
２１６、２１６'   第二ヒンジピン孔
２１７            操作孔
２１８            操作部
２２              髪抑え部材
２２１            髪抑え主体部
２２１'            操作端部
２２２            髪抑え指状体 
２２３            内表面 
２２４            外表面
２２５            錐状歯
２２６            第一ヒンジ部材
２２７            第一ヒンジピン孔
２３              ヒンジピン
２７              空間
３                スプリング
３１              第一端
３２              第二端
【図１】
0003156237.tif 000003
【図２】
0003156237.tif 000004
【図３】
0003156237.tif 000005
【図４】
0003156237.tif 000006
【図５】
0003156237.tif 000007
【図６】
0003156237.tif 000008
【図７】
0003156237.tif 000009
【図８】
0003156237.tif 000010
【図９】
0003156237.tif 000011
【手続補正書】
【提出日】平成21年6月22日(2009.6.22)
【手続補正１】
【補正対象書類名】実用新案登録請求の範囲
【補正対象項目名】請求項８
【補正方法】変更
【補正の内容】
【請求項８】
髪留め部材（２１'）の第二ヒンジ部材（２８'）が、髪留め主体部（２１１'）の髪留め指状体（２１２'）張出部寄りに設けられた、請求項７に記載の髪挟み（２'）。